(57)【要約】【課題】  オーディオ記録再生装置において、デジタルコピー禁止のオーディオ信号のデジタル記録媒体の記録のみ停止し、アナログ記録媒体の記録を行う。【解決手段】  オーディオ記録再生装置において、トラック単位でオーディオ情報及びデジタルコピー管理情報が記録されている記録媒体を再生する再生手段と、再生したデジタルオーディオ信号をトラック単位で記録媒体に記録するデジタル記録手段と、再生したデジタルオーディオ信号をアナログオーディオ信号に変換して記録媒体に記録するアナログ記録手段と、デジタルコピー禁止のトラックについてアナログ記録手段により記録媒体に記録させると共にデジタル記録手段による記録媒体への記録を停止させる制御手段とを備え、デジタル記録手段及びアナログ記録手段による記録を終了した後、制御手段は、デジタル記録手段が記録媒体に記録したデジタルコピー禁止トラックをデジタル記録手段に削除させる。【選択図】      図１
2005108310.tif 000002
【特許請求の範囲】
【請求項１】
トラック単位でオーディオ情報及びデジタルコピー管理情報が記録されている記録媒体を再生しデジタルオーディオ信号とデジタルコピー管理情報信号を出力する再生手段と、前記再生手段が出力したデジタルオーディオ信号をトラック単位で記録媒体に記録するデジタル記録手段と、前記再生手段が出力したデジタルオーディオ信号をアナログオーディオ信号に変換しアナログオーディオ信号を記録媒体に記録するアナログ記録手段と、デジタルコピー禁止のトラックについて前記アナログ記録手段により記録媒体に記録させると共に前記デジタル記録手段による記録媒体への当該トラックのデジタルオーディオ信号の記録を停止させる制御手段とを備え、前記デジタル記録手段及び前記アナログ記録手段による記録を終了した後、前記制御手段は、前記デジタル記録手段が記録媒体に記録したデジタルコピー禁止トラックを前記デジタル記録手段に削除させることを特徴とするオーディオ記録再生装置。
【請求項２】
請求項１に記載のオーディオ記録再生装置であって、前記制御手段が、前記デジタル記録手段に削除させたオーディオ信号を示す情報を表示する表示手段を備えることを特徴とするオーディオ記録再生装置。
【発明の詳細な説明】
【技術分野】
【０００１】
本発明は、記録媒体から再生したオーディオ信号を複数の記録媒体に記録する機能を備えるオーディオ記録再生装置に関する。
【背景技術】
【０００２】
従来のオーディオ記録再生装置において、コンパクトディスク(Compact Disc、以下、ＣＤと言う。)に記録されたオーディオ信号を再生しミニディスク(Mini Disc、以下、ＭＤと言う。)とカセットテープに同時に記録する場合、ＣＤから再生したデジタルオーディオ信号をＭＤに記録し、ＣＤから再生したデジタルオーディオ信号をＤＡ変換しアナログオーディオ信号としてカセットテープに記録する。
【０００３】
ＣＤのサブコードには、シリアルコピーマネージメントシステム(Serial Copy Management System、以下、ＳＣＭＳと言う。)と呼ばれるオーディオ信号のコピー管理規格に基づくデジタルコピー管理情報が記録されている。デジタルコピー管理情報は、トラックごとに、デジタルコピーの許可又は禁止を設定している。トラックには、トラック番号と呼ばれる通し番号が付されて記録される。ＣＤに記録されているオーディオ信号をＭＤとカセットテープに記録するオーディオ記録再生装置において、デジタルコピー管理情報がデジタルコピー禁止に設定されたトラックを再生した場合、当該トラックのＭＤへの記録を停止しカセットテープへの記録を続行するオーディオ記録再生装置があった。
【０００４】
また、情報記録媒体を再生するとき、ＳＣＭＳのデジタルコピー管理情報を先読みして記憶し、デジタルコピー許可のトラックのみを再生する情報記録再生装置がある(特許文献１参照)。
【特許文献１】特開２００１−２６６５４６号公報
【発明の開示】
【発明が解決しようとする課題】
【０００５】
上述したＳＣＭＳのデジタルコピー管理情報は、ＣＤではサブコードに記録される情報であり、ＴＯＣに記録されていない情報であるため、各トラックのオーディオ信号を再生して初めてデジタルコピー禁止であるか否かを判別することができる。そのため、従来のオーディオ記録再生装置において、デジタルコピー禁止に設定されたトラックのＭＤへの記録を停止する場合、デジタルコピー禁止であることを判別してＭＤへの記録を停止するときには、既に当該トラックの先頭部分がＭＤに記録されていた。
【０００６】
特許文献１に記載されている情報記録再生装置は、ＳＣＭＳのデジタルコピー管理情報を先読みして記憶し、デジタルコピー許可と設定されたトラックのみを再生するので、デジタルコピー禁止に設定されたトラックの先頭部分が記録されることはないが、デジタルコピー禁止に設定されたトラックのカセットテープ等へのアナログ記録も行うことができなかった。また、ＣＤのイニシャルリード時に各トラックのオーディオ情報の位置に光ピックアップを移動させ、デジタルコピー管理情報を取得して記憶する動作を行うため、ＣＤの再生を開始するまでに時間を要した。
【０００７】
本発明の目的は、ＣＤ等の記録媒体からオーディオ信号を再生し、当該オーディオ信号をデジタル記録媒体及びアナログ記録媒体に記録する場合、デジタル記録媒体にはデジタルコピー許可のオーディオ信号のみを記録し、アナログ記録媒体には全てのオーディオ信号を記録するオーディオ記録再生装置を提供することにある。
【課題を解決するための手段】
【０００８】
本発明の請求項１に記載のオーディオ記録再生装置は、トラック単位でオーディオ情報及びデジタルコピー管理情報が記録されている記録媒体を再生しデジタルオーディオ信号とデジタルコピー管理情報信号を出力する再生手段と、前記再生手段が出力したデジタルオーディオ信号をトラック単位で記録媒体に記録するデジタル記録手段と、前記再生手段が出力したデジタルオーディオ信号をアナログオーディオ信号に変換しアナログオーディオ信号を記録媒体に記録するアナログ記録手段と、デジタルコピー禁止のトラックについて前記アナログ記録手段により記録媒体に記録させると共に前記デジタル記録手段による記録媒体への当該トラックのデジタルオーディオ信号の記録を停止させる制御手段とを備え、前記デジタル記録手段及び前記アナログ記録手段による記録を終了した後、前記制御手段は、前記デジタル記録手段が記録媒体に記録したデジタルコピー禁止トラックを前記デジタル記録手段に削除させるものである。
【０００９】
本発明の請求項２に記載のオーディオ記録再生装置は、請求項１に記載のオーディオ記録再生装置であって、前記制御手段が、前記デジタル記録手段に削除させたオーディオ信号を示す情報を表示する表示手段を備えるものである。
【発明の効果】
【００１０】
本発明のオーディオ記録再生装置によれば、記録媒体から再生したオーディオ信号をデジタル記録媒体及びアナログ記録媒体に記録する場合、デジタル記録媒体にはデジタルコピー許可のオーディオ信号のみを記録し、アナログ記録媒体には全てのオーディオ信号を記録することができる。
【発明を実施するための最良の形態】
【００１１】
図１は、本発明のオーディオ記録再生装置の一実施例の構成を示すブロック図である。ＣＤ再生装置１は、ＣＤからデジタルオーディオ信号を再生し、ＭＤ記録再生装置２、カセットテープ記録再生装置３に入力する。また、ＣＤ再生装置１は、ＣＤに記録されたサブコードからデジタルコピー管理情報を再生し、ＣＰＵ４に入力する。ＭＤ記録再生装置２は、ＣＤ再生装置１から入力されたデジタルオーディオ信号をＭＤに記録する。カセットテープ記録再生装置３は、ＣＤ再生装置１から入力されたデジタルオーディオ信号をアナログオーディオ信号に変換してカセットテープに記録する。
【００１２】
中央処理装置(Central Processing Unit、以下、ＣＰＵと言う。)４は、ＣＤ再生装置１、ＭＤ記録再生装置２、カセットテープ記録再生装置３を制御する。ＲＡＭ(Random Access Memory)６は、ＣＰＵ４に接続され、ＣＤから読み取ったＴＯＣ(Table Of Contents)情報を記憶する。表示部６は、ＣＰＵ４から入力される表示信号を表示する。操作部７は、操作ボタンを備え、使用者の操作に基づく信号をＣＰＵ７に入力する。同時記録開始ボタン７ａは、操作部７に設けられ、ＣＤ再生装置１のＣＤ再生開始の操作、ＭＤ記録再生装置のＭＤ記録開始の操作、カセットテープ記録再生装置３の記録開始の操作を同時に行うための操作ボタンである。
【００１３】
図２は、本実施例のオーディオ記録再生装置の記録再生されるトラックの状態の一例を示す模式図である。図２(ａ)は、ＣＤ再生装置１がＣＤから再生するデジタルオーディオ信号のトラック番号を上段に示し、トラック毎のデジタルコピー管理情報を下段に示す。ＣＤには、トラック番号１から７までのデジタルオーディオ信号が記録されている。トラック番号１、４、及び７のデジタルオーディオ信号は、デジタルコピー許可である。トラック番号２、３、５、及び６のデジタルオーディオ信号は、デジタルコピー禁止である。
【００１４】
図２(ｂ)は、ＣＤ再生装置１が図２(ａ)に示す記録状態のＣＤを再生し出力するオーディオ信号を、ＭＤ記録再生装置２がＭＤに記録するトラックを示す。デジタルコピー許可であるトラック番号１、４、及び７のデジタルオーディオ信号は全体がＭＤに記録される。デジタルコピー禁止であるトラック番号２、３、５、及び６のデジタルオーディオ信号は、各トラックの記録開始後、ＣＤ再生装置１がＣＤのサブコードからデジタルコピー管理情報を読み出してＣＰＵ４に入力しＣＰＵ４がデジタルコピー禁止であることを判別してＭＤ記録再生装置２にＭＤの記録を停止させるまでの間、ＭＤに記録される。
【００１５】
図２(ｃ)は、ＭＤに先頭部分が記録されたトラック番号２、３、５、及び６のデジタルオーディオ信号を削除した後の記録状態を示す。デジタルコピー許可であったトラック番号１、４、及び７のデジタルオーディオ信号は、デジタルコピー禁止のトラックを削除した後、トラック番号４が２に変更され、トラック番号７が３に変更されて、トラック番号１、２、及び３として記録される。
【００１６】
図２(ｄ)は、ＣＤ再生装置１が図２(ａ)に示す記録状態のＣＤを再生し出力するオーディオ信号を、カセットテープ記録再生装置３がアナログオーディオ信号をカセットテープに記録する場合を示す。デジタルコピー管理情報に関わらず、トラック番号１から４までのオーディオ信号がカセットテープのＡ面に記録され、トラック番号５から７までのオーディオ信号がカセットテープのＢ面に記録される。
【００１７】
図３は、本発明のオーディオ記録再生装置の一実施例の動作を示すフローチャートである。使用者は、ＣＤをＣＤ再生装置１にセットし、記録可能なＭＤをＭＤ記録再生装置２にセットし、記録可能なカセットテープをカセットテープ記録再生装置３にセットする(Ｓ１)。ＣＤ再生装置１は、ＣＤのＴＯＣ情報を読み取り、ＣＰＵ４に入力する。ＣＰＵ４は、ＴＯＣ情報をＲＡＭ５に記憶させる(Ｓ２)。ＣＰＵ４は、ＲＡＭ５に記憶したＴＯＣ情報に含まれるＣＤの総トラック数を表示部６に表示させる(Ｓ３)。
【００１８】
使用者が同時記録開始ボタン７ａを押すと(Ｓ４)、ＣＰＵ４は、ＣＤ再生装置１によるＣＤの再生、ＭＤ記録再生装置２によるＭＤの記録、カセットテープ記録再生装置３によるカセットテープの記録を開始させる(Ｓ５)。ＣＤ再生装置１は、ＣＤに記録されたサブコードからデジタルコピー管理情報を読み出し、ＣＰＵ４に入力する(Ｓ６)。
【００１９】
デジタルコピー管理情報がデジタルコピー禁止を示すとＣＰＵ４が判断した場合(Ｓ７でＹＥＳ)、ＣＰＵ４は、ＭＤ記録再生装置２にＭＤの記録を一時停止させ、当該トラック番号をＲＡＭ５に記憶する(Ｓ１２)。ここで、カセットテープ記録再生装置３のカセットテープへの記録は続行している。ＣＤ再生装置１によるＣＤの再生が進み、ＣＰＵ４が再生しているトラックの切り替わりを検出すると(Ｓ１３)、ＣＰＵ４は、ＭＤ記録再生装置２の一時停止を解除しＭＤの記録を再開させ(Ｓ１４)、Ｓ７へ戻ってデジタルコピー管理情報の判断以後の処理を行う。
【００２０】
Ｓ６において、デジタルコピー管理情報がデジタルコピー許可を示すとＣＰＵ４が判断した場合(Ｓ７でＮＯ)、そのままＭＤの記録を続行する。ＣＰＵ４は、ＲＡＭ５に記憶した総トラック数に基づいてＣＤ再生装置１が最終トラックの再生を終了したかどうか監視する(Ｓ８)。ＣＤ再生装置１がＣＤの再生を終了すると(Ｓ８でＹＥＳ)、ＣＰＵ４は、ＣＤ再生装置１にＣＤの再生を停止させ、ＭＤ記録再生装置２にＭＤの記録を停止させ、カセットテープ記録再生装置３にカセットテープの記録を停止させる(Ｓ９)。
【００２１】
ＣＰＵ４は、ＲＡＭ５に記憶された、デジタルコピー禁止であったトラック番号を読み出し、当該トラック番号に該当するＭＤに記録したトラックをＭＤ記録再生装置２に削除する。削除終了後、ＣＰＵ４は、ＭＤ記録再生装置２にＭＤのＵＴＯＣ(Users  table Of Contents)情報を記録させる(Ｓ１０)。ＣＰＵ４は、Ｓ１０で削除したトラックの番号を表示部６に表示する(Ｓ１１)。使用者は、ＭＤにデジタル記録できなかったトラックを、表示部６を見て確認することができる。
【図面の簡単な説明】
【００２２】
【図１】本発明のオーディオ記録再生装置の一実施例の構成を示すブロック図である。
【図２】本実施例のオーディオ記録再生装置の記録再生されるトラックの状態の一例を示す模式図である。
【図３】本発明のオーディオ記録再生装置の一実施例の動作を示すフローチャートである。
【符号の説明】
【００２３】
１  ＣＤ再生装置
２  ＭＤ記録再生装置
３  カセットテープ記録再生装置
４  ＣＰＵ
５  ＲＡＭ
６  表示部
７  操作部
【図１】
2005108310.tif 000003
【図２】
2005108310.tif 000004
【図３】
2005108310.tif 000005